(57)【特許請求の範囲】
【請求項１】
送受信動作の前に通信線に発呼信号を出力して他端の通信装置の起動を喚起する発呼回路と、起動喚起により通信線に印加された通信電圧をパルス駆動して送信信号を発生する送信回路と、他端の通信装置で発生した通信信号を入力して検知する受信回路と、電源用電池とを備え、前記発呼回路の駆動トランジスタのベース電流はカレントミラー回路で供給を受け、カレントミラーの電流源側の電流の開閉を発呼制御信号で行うガス保安装置の通信装置。
【請求項２】
発呼回路で外部スイッチ検出許可信号を発生させ、他端の通信装置に代えて外部スイッチを接続し、外部スイッチのオン、オフを受信回路で検知させる請求項１記載のガス保安装置の通信装置。
【発明の詳細な説明】
【０００１】
【発明の属する技術分野】
本発明はガス供給路に使用するガス保安装置の通信装置に関するものである。
【０００２】
【従来の技術】
近年、都市ガスやＬＰガスが安全に使用されることを目的として、燃料ガス（以下、ガスという）の使用量を計測して異常に使用量が増えた場合や、通常の使用状態と大きく掛け離れた時間使用されていることを検知すると、ガス通路を遮断する保安装置付ガスメータが普及している。
【０００３】
この種の保安装置付ガスメータは、ガス流量の検出信号を制御回路に取り込み、内部のマイクロコンピュータで処理してガス流量を監視し、異常があれば遮断信号を出力し、遮断弁を閉止する。
【０００４】
保安装置付ガスメータにはリチウム電池等の長期信頼性の高い電源用電池を備え、回路の電流と遮断弁の駆動電流を供給し、保安装置付ガスメーターの設置使用期間中は電池交換不要という特性を有している。
【０００５】
上記保安機能に加え通信機能を付加し、内部のマイクロコンピュータに蓄えられたガス使用流量やガス使用積算量等のデータを通信で読み取り、ガス使用者に対する顧客サービスに利用することも一般化しつつある。
【０００６】
図２は従来の保安装置付ガスメータの通信装置を示す構成図で、Ｂはガスメータ側で、Ａは電話回線等に接続するための通信伝送装置側を示す。
【０００７】
ガスメータ側の電源４は保安装置（図示せず）と共用の電源用電池で、電池の消耗を極力抑えるように通信信号電圧は通信伝送装置側の電源５を使用するようになっている。
【０００８】
このためガスメータ側から通信する場合、発呼回路６から予め発呼信号を発して通信伝送装置側のスイッチＳをオンするよう喚起する。
【０００９】
通信電送装置側の受信回路３−Ａが発呼電圧を検知するとスイッチＳを閉じ、通信線に通信電圧を印加する。通信電圧が印加されるとＡ、Ｂ各々の送信回路２−Ａ、および２が交互に動作して通信するが、規格上電源５の電圧Ｖａ及び電源４の電圧Ｖｂにそれぞれ公差がある。
【００１０】
特にＶａがＶｂより高い時、発呼回路６中の駆動トランジスタ６１は通信電圧印加時にはコレクタ〜ベース間が順方向状態になるので通信電圧が発呼回路６を通して内部回路（図示せず）に回り込む場合があり、これを防止するため、発呼回路６は出力方向にダイオードＤを直列に挿入している。
【００１１】
図３は従来の保安装置付ガスメータの通信装置を外部スイッチ検出装置として動作させる場合の構成図で、別に設けた検出許可回路７で通信線に検出許可信号を印加し、他端の通信装置の代わりに外部スイッチＳｇを接続し、外部スイッチＳｇのオン、オフを受信回路３で検知させている。
【００１２】
【発明が解決しようとする課題】
（１）通信電圧が発呼回路６を通して内部回路に回り込むのを防止するため、発呼回路６は出力方向にダイオードＤを直列に挿入しているが、所定の発呼電圧を得るにはダイオードＤの電圧降下分に見合う高めの電源電圧が必要で、電源４の終止電圧を高く設定する必要から必然的に電池寿命が短くなる。
【００１３】
（２）外部スイッチ検出装置として動作させる場合、発呼回路６で検出許可信号の発生を企てても、発呼電圧を重視して電圧損失を極力低く抑える設定にすると、外部スイッチＳｇ導通時の検出許可信号電圧が受信回路３の入力閾値より十分に低い電圧に降下せず検知不良となり、正しい動作のためには別に検出許可回路７が必要となる。
【００１４】
【課題を解決するための手段】
本発明は上記課題を解決するために、送受信動作の前に通信線に発呼信号を出力して他端の通信装置の起動を喚起する発呼回路と、起動喚起により通信線に印加された通信電圧をパルス駆動して送信信号を発生する送信回路と、他端の通信装置で発生した通信信号を入力して検知する受信回路とを備え、前記発呼回路の駆動トランジスタのベース電流はカレントミラー回路で供給を受け、カレントミラーの電流源側の電流の開閉を発呼制御信号で行うようにしたものである。
【００１５】
この本発明によれば通信電圧の回り込み防止のダイオードが不要となり、ダイオードによる電圧降下がなくなる。
【００１６】
【発明の実施の形態】
送受信動作の前に通信線に発呼信号を出力して他端の通信装置の起動を喚起する発呼回路と、起動喚起により通信線に印加された通信電圧をパルス駆動して送信信号を発生する送信回路と、他端の通信装置で発生した通信信号を入力して検知する受信回路とを備え、前記発呼回路の駆動トランジスタのベース電流はカレントミラー回路で供給を受け、カレントミラーの電流源側の電流の開閉を発呼制御信号で行うものである。そして、発呼制御信号でカレントミラーの電流源側の電流経路を開放すると送受信端子と内部回路が等価的に絶縁されるため通信電圧の回り込み防止のダイオードが不要となり、ダイオードによる電圧降下がなくなる。
【００１７】
また発呼回路で外部スイッチ検出許可信号を発生させ、他端の通信装置に代えて外部スイッチを接続し、外部スイッチのオン、オフを受信回路で検知させるものである。そして、外部スイッチが「オフ」の時は受信回路に検出許可信号が印加されるため受信回路は外部スイッチ「オフ」と判定し、外部スイッチが「オン」されると検出許可信号が回路接地にバイパスされるため受信回路に検出許可信号印加されず、受信回路はスイッチ「オン」と判定することができる。
【００１８】
【実施例】
以下、本発明の実施例について図面を用いて説明する。
【００１９】
（実施例１）
図１は本発明の通信装置の実施例１を示す構成図である。
【００２０】
電源４は保安装置（図示せず）と共用する電源用電池で、発呼回路１の電流供給源となっている。
【００２１】
発呼回路１中の駆動トランジスタ１１と電流源トランジスタ１２は対でカレントミラーを構成している。電流源トランジスタ１２のコレクタＣは電流制限抵抗Ｒｉとスイッチトランジスタ８とを介して回路接地され、電流経路を形成している。
【００２２】
スイッチトランジスタ８は発呼制御信号により開閉し、発呼時以外はオフにされ、このため通信電圧印加時の出力トランジスタ１１及び電流源トランジスタ１２の動作は「オフ」で、電源４及び回路接地に対するダイオード特性はいずれも逆方向特性となり、発呼回路１は内部回路（図示せず）と等価的に絶縁され、通信電圧回り込み防止用ダイオードを不要にしている。
【００２３】
電流源トランジスタ１２の順方向ダイオード特性の電圧をＶｆ、電流制限抵抗Ｒｉの抵抗値をＲｉ、通信線間インピーダンスをＲｏ、電源Ｖｂの電圧をＶｂ、とすると、カレントミラーの特性より、発呼電圧Ｖｈは
Ｖｈ＝（Ｖｂ−Ｖｆ）×（Ｒｏ／Ｒｉ）  ［式１］
で表され、Ｒｏ／Ｒｉ＝Ｖｂ／（Ｖｂ−Ｖｆ）に設定すれば、Ｖｈ＝Ｖｂとなるから理論上は発呼電圧Ｖｈの出力損失はなく、実回路でもほぼ電源電圧Ｖｂいっぱいまで出力する。。
【００２４】
一方、外部スイッチ検出装置として動作させる場合、外部スイッチＳｇ導通時は、Ｒｏを強制的にゼロにすることになり、［式１］よりＶｈを求めるとＶｈ＝０となるから、受信回路３の入力閾値より十分低い電圧降下が得られる。
【００２５】
この時の検出信号電流Ｉｏはカレントミラーで決まり、Ｉｏ＝（Ｖｂ−Ｖｆ）／Ｒｉとなるから、通信線に特別に電流制限素子がなくても電流制限が効き、むやみに電流が流れることはない。
【００２６】
【発明の効果】
以上の説明から明らかのように本発明のガス保安装置の通信装置によれば次の効果が得られる。
【００２７】
（１）発呼電圧が電源電圧まで出力可能になるので、従来、ダイオードの電圧降下見合い分高めに設定していた電源の終止電圧をその分低く設定でき、電池寿命を延ばすことができる。
【００２８】
（２）外部スイッチがオン時の検出許可信号電圧を受信回路の入力閾値より十分に低い電圧に降下させることができるので特別に検出許可信号回路を必要としなくなる。
【図面の簡単な説明】
【図１】本発明の実施例１のガス保安装置の通信装置を示す回路図
【図２】従来の通信装置を示す回路図
【図３】同装置を外部スイッチ検出装置として動作させる場合の回路図
【符号の説明】
１  発呼回路
２  送信回路
３  受信回路
４  電源用電池
【図１】
0004029451.tif 000002
【図２】
0004029451.tif 000003
【図３】
0004029451.tif 000004